(57)【特許請求の範囲】
【請求項１】
真空脱水装置によって排煙脱硫装置からの石膏スラリを吸引脱水するようにしたベルトフィルタの制御方法において、上記排煙脱硫装置のスラリ酸化タンク２から供給される石膏スラリの流量情報を流量指示制御計１８によって監視し、濃度指示制御計１７によって上記石膏スラリのスラリ濃度を監視し、上記スラリ酸化タンク２から供給される石膏スラリの流量、濃度が変化しても回転制御計２２によってベルトフィルタ８の速度を制御して上記ベルトフィルタ８上のケーキの厚みを一定に保つと共に、上記流量指示制御計１８によってボイラ負荷情報２３を監視することにより該流量指示制御計１８によって弁２４を制御して上記ベルトフィルタ８に送る石膏スラリの量を変動させ、ろ液タンク１１等からろ液がオーバーフローしないようにしたことを特徴とするベルトフィルタの制御方法。
【発明の詳細な説明】
【０００１】
【発明の属する技術分野】
本発明は、排煙脱硫装置で石膏スラリの脱水に用いられるベルトフィルタの制御方法に関する。
【０００２】
【従来の技術】
排煙脱硫装置に用いられる石膏スラリ用脱水機は、設備費、運転費、制御性、保守費及び脱水性能等の観点で、遠心分離機（バスケット形）方式からベルトフィルタによる真空吸引脱水方式に移行しつつある。
一般に、ベルトフィルタは安定した脱水性能を得るためベルトフィルタ上に乗っているケーキ（石膏）厚みを、赤外線フィルタによって検出し、ケーキ厚みが一定となるようにベルトフィルタの回転数を制御していた。要するにスラリのフィード量が少なくなったときに回転数を小さくし、フィード量が増えたら回転数を大きくして、ケーキの厚みが一定となるように制御していた。
ここで、ベルトフィルタ上のケーキ厚みは、フィルタに供給する流量を一定にキープしたとしても、完全に均一とはならないため、厚みに対するベルト回転速度の感度は非常ににぶく設定されている。ところが、ベルトフィルタへ供給を開始した直後等流量が急激に変化する場合には、ケーキ厚みに対するベルト回転速度が追従できず、ベルトフィルタ上のケーキ厚みが厚くなり過ぎて性能が落ちたり、フィルタからオーバーフローしてしまうといった可能性があった。
【０００３】
また、吸収塔のスラリ濃度が、循環ポンプ発停、吸収塔内における可動翼ポンプの開度の変化等の影響で急激に変化した際、スラリのフィード量が同じでもケーキ厚みが変化してしまう。この場合、厚みのみを測定していても、ベルトフィルタの回転数を適性に保つのは困難である。厚みが変化した後に回転数を調整するので、遅延時間が生じるのを免れないからである。ケーキ厚みが一定厚み以下に適性に保たれないと、脱水性能にも影響を与えてしまい不都合である。
ここで、厚みセンサーの感度を良くして厚みの変化に対応することも考えられるが、ベルトの動きがスムースでなくなり、かえってケーキ厚みにバラツキを生ずる、といった難点があった。
【０００４】
一方、排煙脱硫装置で生成する石膏の量は、ボイラ負荷にほぼ比例している。すなわち、生成するＳＯ２  ガスの量にほぼ比例している。そこで、ボイラ負荷が変動した場合、ベルトフィルタ上のケーキ厚みを検知して、これが一定になるようにすれば、ボイラ負荷変動に対応できるように考えられる。
しかし、ボイラ負荷の変動に対しても遅延が生じていた。すなわち、ボイラ負荷が変化しても、スラリタンクがバッファーの役割をはたすため、固形物の濃度はすぐには変動しない。ベルトフィルタで石膏を除去したろ液は、ろ液槽から、一部吸収剤調整槽を経て全量スラリタンク内に戻される。ボイラ負荷が減少した際は、スラリタンクへの水の供給量も少なくて良い。この供給量は、ボイラ負荷変動に即座に対応している。したがって、ボイラ負荷減少前のままろ液の量が保たれると、ろ液のうち吸収剤調整槽及びスラリタンク内に戻される量が減っているため、ろ液槽から余分な水がオーバーフローするおそれがあった。
【０００５】
このことを図２について、具体的数値を挙げて説明する。図２において、例えば、ボイラ負荷が１００％の時には、吸収塔２０１から８７ｔの水がベルトフィルタ２０２に送られる。ベルトフィルタ２０２を経由すると、水は７２ｔとなる。このうち２９ｔがろ液タンク２０３等を経て吸収塔２０１に循環する。４３ｔについては、吸収剤調整槽２０４で中和剤を添加した後に吸収塔２０１に循環する。４３ｔが吸収塔２０１に戻される。したがって、総計７２ｔの水が吸収塔２０１に戻されるので均衡が取れている。
しかし、ボイラ負荷が５０％に下がった場合、しばらくの間５０％運転時の水の循環とはならない。吸収剤調整槽２０４から戻される水及び直接吸収塔に戻される水のみが、ボイラ負荷に直接従属して５０％負荷の場合に対応して減量する。これが例えば２１ｔと１７ｔに減ったとすると、３３ｔの水がろ液タンク２０３からオーバーフローするおそれがある。
ここで、設置スペースが十分ある場合には、このようなろ液タンクに余裕を設けて大容量とできるが、このような対応は、装置を過大としてしまうという難点を持っていた。
上記したように、ケーキ厚みのみをパラメータとしてベルトフィルタの使用状態を制御しても、スラリ供給量、スラリ濃度、ボイラ負荷の変動に適切に対応することはできなかった。
【０００６】
【発明が解決しようとする課題】
本発明は、上記事情に対して、スラリ供給量、スラリ濃度、ボイラ負荷の変動に適切に対応して、ベルトフィルタによる石膏スラリの脱水を良好に行うようにしたベルトフィルタの制御方法を提供することを目的とする。
【０００７】
【課題を解決するための手段】
上記目的を達成するために、請求項１に記載された発明は、真空脱水装置によって排煙脱硫装置からの石膏スラリを吸引脱水するようにしたベルトフィルタの制御方法において、上記排煙脱硫装置のスラリ酸化タンクから供給される石膏スラリの流量情報を流量指示制御計によって監視し、濃度指示制御計によって上記石膏スラリのスラリ濃度を監視し、上記スラリ酸化タンクから供給される石膏スラリの流量、濃度が変化しても回転制御計によってベルトフィルタの速度を制御して上記ベルトフィルタ上のケーキの厚みを一定に保つと共に、上記流量指示制御計によってボイラ負荷情報を監視することにより該流量指示制御計によって弁を制御して上記ベルトフィルタに送る石膏スラリの量を変動させ、ろ液タンク等からろ液がオーバーフローしないようにしたことを特徴とする。
【０００８】
【発明の実施の形態】
以下に添付図面に示した実施の形態を参照して、本発明にかかるベルトフィルタを説明する。
図１は、本発明にかかるベルトフィルタの制御方法を実施する湿式排煙脱硫装置の一実施の形態を示す。
この装置は、脱硫そのものを行う主な構成要素として吸収塔１とスラリタンク２とを備える。排煙導入部１ａからの未処理排煙Ａは、ヘッダパイプ５のノズルから噴射される吸収液とともに充填部６を脱硫されながら通過する。そして、スラリタンク２において、さらに反応が進行する。その際、エアスパージャ３による攪拌及び空気Ｃの供給が行われる。これによって石膏が生成する。吸収液は、循環ポンプ４によってスラリタンク２から循環ポンプ４によってヘッダパイプ５に供給される。処理済の排煙Ｂは、排煙導出部１ｂから導出される。
【０００９】
吸収液中の吸収剤と排煙中のＳＯ２  とが反応して得られる石膏を含む石膏スラリは、スラリポンプ７によって抜き出され、ベルトフィルダ８の供給ヘッダより供給され、脱水操作にかけられる。ベルトフィルタ８から真空ポンプ９によって真空吸引されるろ液は、真空タンク１０に送られる。ろ液の除かれた石膏Ｄはベルトフィルタ８の末端より系外に取り出される。
上記ろ液は、ろ液タンク１１に導かれ、さらにポンプ１２によって吸収剤調整槽１３、又はスラリタンク２に直接戻る。吸収剤調整槽１３内の吸収液は、原料アルカリ（石灰石等）Ｅを適量補充し、スラリポンプ１４によってスラリタンク２に戻される。ろ液タンク１１内の液量は、適当なセンサによって流量指示制御計によって監視され、液量情報に従って弁１６を制御し、スラリタンク２に直接戻すろ液の量を適切にコントロールする。
【００１０】
本実施の形態では、さらに、濃度指示制御計１７によってスラリタンク２内からの石膏スラリ導出ラインのセンサから得られる固形物濃度を監視し、流量センサからの情報を流量指示制御計１８によって監視する。これらの濃度情報及び流量情報に従って、適宜演算１９を行い、ベルトフィルタ８の駆動用モータ２１の回転を回転制御計２２によって制御する。
また、本実施の形態では、ボイラ負荷情報２３を流量指示制御計に送り、弁２４を制御することによって、ベルトフィルタ８に供給する石膏スラリの量をコントロールする。
なお、運転監視の目的でベルトフィルタ８上のケーキ厚みを厚み検知手段２５によって監視しても良い。
図示の実施の形態では、制御機器類として、制御計１５、１７、１８、１９、２２、２５のみを示したが、これ以外にも装置運転上必要な制御機器を含むものとし、図中には本発明の基本的概念を説明するために必要なもののみを示した。また、制御機器類は、図示しない中央制御部において、適切な演算処理装置によって統括・監視される。
【００１１】
本実施の形態では、スラリタンク２から供給される石膏スラリの濃度、流量が変化しても、これを濃度指示制御計１７及び流量指示制御計１８によって監視し、駆動用モータ２１の回転を回転制御計２２によって制御する。すなわち、石膏分の供給が多い場合には、駆動用モータ２１の回転数を上げて、ベルトフィルタ８の速度を上げ、石膏スラリがオーバーフローしないようにする。石膏分の供給が少ない場合には、駆動用モータ２１の回転数を下げて、ベルトフィルタ８の速度を下げる。このようにして、ベルトフィルタ８上のケーキの厚みを一定に保つようにする。
【００１２】
また、本実施の形態では、ボイラ負荷が変動した際、その情報を流量指示制御計１８に送り、弁２４をコントロールすることによって、ベルトフィルタ８以降に送る石膏スラリの量を適切に保つ。例えば、ボイラ負荷が半減した際には、スラリタンク２からベルトフィルタ８に送られる石膏スラリを減少させる。これによって、ろ液タンク１１等からろ液がオーバーフローしないようにする。
【００１３】
本実施の形態では、濃度指示制御計及び流量指示制御計によって、ベルトフィルタの速度を制御することによりベルトフィルタ上のケーキの厚みを一定に保つようにでき、ベルトフィルタ上の石膏スラリがオーバーフローすることがない。それと共に、流量指示制御計が、石膏スラリの性状を監視すると同時に、ボイラ負荷情報をも監視し、ベルトフィルタへの石膏スラリ供給量を弁でコントロールすることにより、ベルトフィルタ後流のろ液タンク等から、ろ液がオーバーフローしないようにすることができる。
他の実施の形態
ベルトフィルタの速度は、駆動用モータそのものの回転数を変化させなくても、変速手段のギヤ比を変更するようにする等他の手段としても良い。その他、当業者にとって自明な変更・付加等は全て本発明の技術的範囲に含まれる。
【００１４】
【発明の効果】
以上説明したところから明かなように、本発明によれば、濃度指示制御計及び流量指示制御計を備え、石膏スラリの性状を監視すると同時に、流量指示制御計がボイラ負荷情報をも監視し、石膏スラリの性状、ボイラ負荷のいずれの変動をも検知して、ベルトフィルタの速度制御と弁の制御を行うので、スラリ供給量、スラリ濃度、ボイラ負荷の変動に適切に対応して、ベルトフィルタによる石膏スラリの脱水を良好に行うようにしたベルトフィルタの制御方法が提供される。
【図面の簡単な説明】
【図１】本発明にかかるベルトフィルタの制御方法を実施する湿式排煙脱硫装置の一実施の形態を説明する概念図である。
【図２】従来のベルトフィルタの制御方法を実施する湿式排煙脱硫装置を説明する概念図である。
【符号の説明】
１、２０１  吸収塔
１ａ  排煙導入部
１ｂ  排煙導出部
２  スラリタンク
３  エアスパージャ
４  循環ポンプ
５  ヘッダパイプ
６  充填部
８、２０２  ベルトフィルタ
９  真空ポンプ
１０  真空タンク
１１、２０３  ろ液タンク
１３、２０４  吸収剤調整槽
１５  液量指示制御計
１７  濃度指示制御計
１８  流量指示制御計
２１  ベルトフィルタ駆動用モータ
２３  ボイラ負荷情報
Ａ  未処理排煙
Ｂ  処理済排煙
Ｃ  空気
Ｅ  原料アルカリ
Ｄ  石膏
【図１】
0003572184.tif 000002
【図２】
0003572184.tif 000003